(57)【要約】【課題】ピアスの感覚で自爪に取り付け・取り外しが可能でリアル性を有し且つ長期間に亘って使用可能なネイル用アクセサリーを提供する。【解決手段】台座３は、人の手の指先の爪の表面に当接可能に湾曲した裏面を有する。第１接着剤４の層は、台座３の表面上に固設されている。人工石等の主宝石１及び主宝石１の周辺に位置する人工石等の複数の副宝石２は、共に、第１接着剤４の層の表面上に固設されている。第２接着剤５の層は、主宝石１と各副宝石２との隙間及び副宝石２間の隙間を完全に埋め尽くしていると共に、第１接着剤４の表面を全面的に被覆している。第２接着剤５は、第１接着剤４の硬化時の強度よりも強い硬化時の強度を有する。両面テープの一方の面は台座１の裏面に接着され、他方の面は爪の表面に接着される。【選択図】図１
2020092755.tif 000002
【特許請求の範囲】
【請求項１】
人の手の指先の爪の表面に当接可能に湾曲した裏面を有する台座と、
前記台座の前記裏面に対向する表面上に固設された裏面を有する第１接着剤と、
前記第１接着剤の前記裏面に対向する表面上に固設された主宝石と、
前記第１接着剤の前記表面及び前記主宝石の側面に固設されて前記第１接着剤の前記表面を全面的に被覆すると共に、前記第１接着剤の硬化時の強度よりも強い硬化時の強度を有する第２接着剤と
を備えることを特徴とするネイル用アクセサリー。
【請求項２】
請求項１に記載のネイル用アクセサリーであって、
前記第１接着剤の前記表面の内で前記主宝石の周辺に位置する表面部分上に固設された少なくとも一つの副宝石を更に備えており、
前記第２接着剤は、前記副宝石の側面に固設されて前記主宝石と前記副宝石との隙間部分をも埋め尽くしている
ことを特徴とするネイル用アクセサリー。
【請求項３】
請求項１又は２に記載のネイル用アクセサリーであって、
前記台座の前記裏面に接着される一方の面及び前記爪の前記表面に接着される他方の面を有する両面テープを
更に備えることを特徴とするネイル用アクセサリー。
【請求項４】
台座の表面上に塗布されたジェル状のネイル液の硬化により前記台座の前記表面上に固設されて成る複数の宝石と、
前記複数の宝石同士の各隙間を埋め尽くすと共に、硬化後の前記ジェル状のネイル液の第１接着剤を全面的に被覆する第２接着剤と
を備えると共に、
前記第２接着剤の硬化後の強度は前記第１接着剤の硬化後の強度よりも強い
ことを特徴とするネイル用アクセサリー。
【請求項５】
台座の裏面が人の手の指先の爪の表面に当接可能に前記台座を湾曲させる第１工程と、
前記台座の表面に第１接着剤を塗布する第２工程と、
前記第１接着剤上に複数の宝石を配設した上で前記第１接着剤を硬化させる第３工程と、
硬化後の前記第１接着剤の表面上に第２接着剤を塗布して前記複数の宝石同士の各隙間を埋め込むと共に、前記第１接着剤の前記表面を全面的に被覆した上で、前記第２接着剤を硬化する第４工程と
を備えており、
前記第２接着剤の硬化後の強度は前記第１接着剤の硬化後の強度よりも強い
ことを特徴とするネイル用アクセサリーの製造方法。
【発明の詳細な説明】
【技術分野】
【０００１】
本発明は、人の手の指先の爪（以下「自爪」という。）に付けるためのネイル用アクセサリー及びその製造方法に関する。
【背景技術】
【０００２】
従来、ネイルサロンに於いて、ネイリストが客の自爪の表面上にジェル状のネイル液を接着剤として塗布して硬化させることで硬化後の当該接着剤の上に複数の宝石（ストーン；人工石）をネイル用アクセサリーとして形成するサービスの提供が行われている。
【０００３】
又、人口爪を用いたネイル用アクセサリー、或いは、リングを指に嵌め込む方式のネイル用アクセサリー等、種々のタイプのネイル用アクセサリーが提案されている（例えば、特許文献１乃至２及び非特許文献１を参照。）。
【先行技術文献】
【特許文献】
【０００４】
【特許文献１】特開２０１２−００５８８４号公報
【特許文献２】特開２０１８−６１６９９号公報
【非特許文献】
【０００５】
【非特許文献１】おしゃれ! ネイルリング ジュエリー レディース ネイルアート 爪の指輪 チップリング アクセサリー 4本セット katsuma5614（ＵＲＬ：https://www.amazon.co.jp/%E3%83%8D%E3%82%A4%E3%83%AB%E3%83%AA%E3%83%B3%E3%82%B0-%E3%83%8D%E3%82%A4%E3%83%AB%E3%82%A2%E3%83%BC%E3%83%88-%E3%83%81%E3%83%83%E3%83%97%E3%83%AA%E3%83%B3%E3%82%B0-%E3%82%A2%E3%82%AF%E3%82%BB%E3%82%B5%E3%83%AA%E3%83%BC-katsuma5614/dp/B00QXHONN4）
【発明の概要】
【発明が解決しようとする課題】
【０００６】
その表面上に複数の宝石がジェル状ネイル液による接着剤を介して配設されている自爪は、時間の経過につれて伸びる。そのため、当該自爪の伸び量に応じて、上記のジェル状ネイル液による接着剤も伸びて、当該接着剤の膜厚が薄くなっていくと共に、自爪の伸びた分は爪切り器により切られる。その結果、ネイルサロンに於いて自爪上にネイル用アクセサリーを形成してから１か月程の時間の経過後には、上記接着剤の膜が剥がれてきてネイル用アクセサリーのアート性は著しく損なわれることとなる。場合によっては、自爪の表面上の宝石が剥がれて落ちてしまう場合が生じる。そのため、客は、再度、ネイルサロンを訪問して自爪の表面上のネイル用アクセサリーの付け替えを行うこととなる。即ち、ネイリストにより、自爪の表面に既に付着している上記接着剤の膜が削り取られて剥がされた上で、自爪上に新たなネイル用アクセサリーが同一工程を経て再形成される。その際には、自爪上に付着していた各宝石は捨てられることとなる。その点では、宝石の無駄遣いが行われており、もったいない事態が生じていると言える。逆に言えば、自爪上のネイル用アクセサリーは１か月程度の期間だけ使えれば十分である様に（その点を前提とした上で）、ネイルサロンに於けるネイル用アクセサリー形成サービスは提供されていると、言える。
【０００７】
又、ネイリストが作成したネイル用アクセサリーでは、人が、その日の気分に応じて、ネイル用アクセサリーを日々付け替えて楽しむ事もままならない状態となっている。
【０００８】
（発明の目的）
この発明はその様な問題点に鑑みて成されたものであり、その主目的は、（１）ピアスと同じ様な感覚で自在に自爪に取り付け・取り外しが可能であり、（２）ネイリストにより形成されたものと同じ様な実在性（リアル性）を有すると共に、（３）爪の伸びの有無に係わらず長期に亘って使用可能な、ネイル用アクセサリーを提供する点にある。
【課題を解決するための手段】
【０００９】
本発明の主題に係るネイル用アクセサリーは、人の手の指先の爪の表面に当接可能に湾曲した裏面を有する台座と、前記台座の前記裏面に対向する表面上に固設された裏面を有する第１接着剤と、前記第１接着剤の前記裏面に対向する表面上に固設された主宝石と、前記第１接着剤の前記表面及び前記主宝石の側面に固設されて前記第１接着剤の前記表面を全面的に被覆すると共に、前記第１接着剤の硬化時の強度よりも強い硬化時の強度を有する第２接着剤とを備えることを特徴とする。
【発明の効果】
【００１０】
本発明の主題に係るネイル用アクセサリーによれば、ピアスと同じ様な感覚で自爪にネイル用アクセサリーを自在に取り付け・取り外しが可能であると共に、爪の伸びの有無に係わらず、１か月を超える長期間に亘ってネイル用アクセサリーを使用して当該ネイル用アクセサリーによるネイルアートを楽しむことが出来る。
【００１１】
以下、本発明の様々な具体化を、添付図面を基に、その効果・利点と共に、詳述する。
【図面の簡単な説明】
【００１２】
【図１】本発明の実施の形態１に係るネイル用アクセサリーの構成を模式的に示す平面図である。
【図２】本発明の実施の形態１に係るネイル用アクセサリーの構成を模式的に示す縦断面図である。
【図３】本発明の実施の形態１に係るネイル用アクセサリーの製造工程を示すフローチャートである。
【発明を実施するための形態】
【００１３】
（実施の形態１）
【００１４】
＜ネイル用アクセサリーの構成＞
図１は、本実施の形態１に係るネイル用アクセサリー１００の構成を模式的に示す平面図である。又、図２は、図１に於ける断線ＩＡ−ＩＢに関するネイル用アクセサリー１００の縦断面構成を模式的に示す縦断面図である。尚、主宝石１とその周辺の２個の任意の副宝石２とを含む任意の断線に関する縦断面構成は、図２に示される縦断面構成と同一である。図１及び図２の参照より理解される通り、ネイル用アクセサリー１００をその上方から眺めた際の当該ネイル用アクセサリー１００の平面視構成としては、後述する各宝石１，２の突出面（例えば半球状面。）及び第２接着剤５の層乃至は膜の表面が、構成用要素として視認される。
【００１５】
図１及び図２の一例に於いて、平面視に於いて円形を有する台座３は、例えば金属性の材質より成る、比較的に厚みが薄い略円柱状の板を、全体的に湾曲を成す様に、ペンチ等のネイル用道具（図示せず。）で曲げることにより形成される。台座３の材質としては、例えば、メッキ加工を施した真鍮が用いられる。尚、台座３の形状・厚みは共に任意であり、状況に応じて適宜に設定される。この台座３が有する特徴点は、台座３が、自爪の湾曲した表面（図示せず。）に沿って当該湾曲表面に全体的に当接可能となる様に湾曲された裏面３ＲＳを有する点にある。勿論、台座３の裏面３ＲＳに対向する表面３ＳＳもまた、上記台座３の折り曲げ加工を通じて、裏面３ＲＳの湾曲形状に応じた湾曲度を有する。即ち、台座３の裏面３ＲＳは、自爪の湾曲した表面の曲率乃至は曲率半径に応じて設定された曲率乃至は曲率半径Ｒを有する（図２の点ＲＯは裏面３ＲＳの曲率中心に該当する。）。この場合、自爪の表面の湾曲度ないしは曲率は、厳密には、人によって異なる。そこで、任意に選ばれた複数人の女性の各人の爪の表面の湾曲度に対応する曲率乃至はカーブを有する型を複数個作成した上で、それらの型の中で平均的な湾曲度乃至は曲率を有する型を選択し、その選択された型に基づいて、各台座３の、自爪の表面に当接可能に湾曲して成る裏面３ＲＳ・表面３ＳＳが、上記ネイル用道具を用いて形成される。勿論、オーダーメイドの注文を受けたネイル用アクセサリー１００の作成の場合に於いては、当該注文者の自爪の表面の湾曲度に基づいて特注の型を作り、その特注型の湾曲面（カーブ）の曲率に基づき、適切な曲率を有する、湾曲した台座３の裏面３ＲＳが、個別に加工されて形成される。
【００１６】
又、台座３の裏面３ＲＳに対向する湾曲した表面３ＳＳ上に、第１接着剤４の層（第１接着膜又は第１接着層）が形成されている。即ち、台座３の表面３ＳＳの湾曲度乃至は曲率に応じて湾曲した第１接着剤４の層は、表面３ＳＳの全面に亘って固設された裏面４ＲＳを有する。この第１接着剤４の層は、一般にネイル用として市販されている透明なジェル（Ｇｅｌ）状のネイル液が台座３の表面３ＳＳの全面に亘って塗布された上でＵＶ光照射等の硬化方法によって硬化されることにより形成される。硬化後の第１接着剤４は、台座３の表面３ＳＳの全面に亘って形成された透明なプラスチック状の層乃至は膜を成す。
【００１７】
そして、主宝石１が、第１接着剤４の湾曲した裏面４ＲＳに対向する湾曲した表面４ＳＳの略中央部上に、第１接着剤４により固設されている。この主宝石１としては、例えば「スワロフスキー（登録商標）の人工石」の様な、各種の人工石が、本実施の形態では用いられる。更に、第１接着剤４の表面４ＳＳの内で主宝石１の周辺に位置する表面部分４ＳＳＰ上に、少なくとも一つの副宝石２が、第１接着剤４により固設されている。本実施の形態では、この副宝石２として、例えば「スワロフスキー（登録商標）の人工石の一つである真珠」の様な、各種の人工石が用いられている。ここで、副宝石２は、主宝石１と同一種類の人工石であっても良いし、又は、異なる種類の人工石であっても良い。又、副宝石２の数は任意であり、且つ、副宝石２の配置位置である表面部分４ＳＳＰも、主宝石１の周辺に位置する限り、任意である。本実施の形態では、一例として、主宝石１の全周囲を取り囲む様に等間隔で配設された８個の副宝石２Ａ，２Ｂ，２Ｃ，２Ｄ，２Ｅ，２Ｆ，２Ｇ，２Ｈが、第１接着剤４により、その表面部分４ＳＳＰ上に接着・固定されている。これらの副宝石２Ａ，２Ｂ，２Ｃ，２Ｄ，２Ｅ，２Ｆ，２Ｇ，２Ｈは、同一種類の人工石であっても良いし、或いは、異なる種類の人工石より成るものであっても良い。
【００１８】
更に、第２接着剤５の層（第２接着膜又は第２接着層）が、この段階で露出している第１接着剤４の層の表面４ＳＳの全面上に且つ主宝石１及び各副宝石２の各々の側面部上に、固設されている。そのため、第２接着剤５の層は、第１接着剤４の層の表面４ＳＳを全面的に被覆している（図１参照。）。しかも、第２接着剤５の層は、主宝石１と各副宝石２との隙間部分及び副宝石２同士の隙間部分をも完全に埋め尽くしている（図１参照。）。斯かる第２接着剤５の層は、一般にアクセサリー用（装飾用）として市販されている透明なレジン液（合成樹脂の液）がその段階で露出している第１接着剤４の表面４ＳＳの全面及び各宝石１，２間の隙間部分に亘って塗布された上で、ＵＶ光照射等の硬化方法によって硬化されることにより形成される。硬化後の第２接着剤５は、第１接着剤４の表面４ＳＳの全面上及び各宝石１，２間の各隙間部分の全体に亘って形成された、透明なプラスチック状の層乃至は膜を成す。この第２接着剤５の透明な層を成す透明なレジン液としては、例えば、エポキシレジン又はＵＶレジンが用いられる。ここで、本実施の形態の特徴点として、第１接着剤４の硬化時の強度よりも十分に強い硬化時の強度を有する透明なレジン液が、第２接着剤５の層を成す合成樹脂液として採用されている。この様に、第１接着剤４よりも十分に強い強度を有する第２接着剤５の層により、第２接着剤５の層形成時に露出している第１接着剤４の表面４ＳＳの全面及び各宝石１，２間の各隙間部分の全体が、被覆・埋め込みされている。そのため、台座３のＲ状の湾曲面３ＲＳ，３ＳＳの形状が経時変形することなく、そのＲ形状が、ネイル用アクセサリー１００の使用期間・保存期間中、維持され続ける。且つ、空気に晒されることに伴う第１接着剤４の層の経時劣化が、第２接着剤５の層による被覆によって、効果的に抑制乃至は防止される。
【００１９】
又、ネイル用アクセサリー１００は、その使用時のための構成部品として、図２に例示される両面テープ６を有する。即ち、両面テープ６は、ネイル用アクセサリー１００の使用の際に於いて、台座３の裏面３ＲＳに接着される一方の面６ＳＳ、及び、人の自爪の表面に接着される他方の面６ＲＳを有する。この両面テープ６の形状及び寸法は任意であるが、一方の面６ＳＳが台座３の裏面３ＲＳに確実に接着される様に、予め、台座３の裏面３ＲＳの形状及び寸法に応じて、両面テープ６の形状及び寸法が適切にカットされて設定されている。斯かる両面テープ６が台座３に付着されることで、両面テープ６の厚みが、自爪の表面と台座３の裏面３ＲＳ間に生じ得る数ｍｍ程度の隙間を埋め尽くして補う。
【００２０】
＜ネイル用アクセサリーの製造方法（製造工程）・使用方法＞
図３は、本実施の形態に係るネイル用アクセサリー１００の製造工程を示すフローチャートである。以下、図１及び図２を参照しつつ、図３に基づき、ネイル用アクセサリー１００の製造方法について記載する。
【００２１】
ステップＳ１：  メッキ加工された真鍮等の金属材より成る台座３を用意する。その上で、既述の通りの方法で以って、台座３の裏面３ＲＳが自爪の表面に当接可能となる様に、加工者は台座３を湾曲させる。当該湾曲工程Ｓ１を経て、台座３は、平均的な女性の爪の表面の湾曲度（曲率）に対応した曲率半径Ｒを有することとなる。
【００２２】
ステップＳ２：  加工者は、湾曲した台座３の表面３ＳＳ上に、透明なジェル状のネイル液（市販品）より成る第１接着剤４を全面に亘って塗布する。
【００２３】
ステップＳ３：  加工者は、塗布後の第１接着剤４のジェル状の表面４ＳＳ上に、主宝石１及び各副宝石２の各々を、最終的に各宝石１，２が第２接着剤５の表面５Ｓより全体的に半球状に突出する様に、既述の通りに配設した上で、塗布後の第１接着剤４を硬化させる。この硬化により、各宝石１，２の裏面は、硬化して成る第１接着剤４の層によって固設される。
【００２４】
ステップＳ４：  加工者は、硬化後の第１接着剤４の層の表面４ＳＳ上に、既述の透明なレジン液（市販品）より成る第２接着剤５を、全体的に塗布する。斯かる塗布工程を通じて、加工者は、各宝石１，２間の各隙間を完全に第２接着剤５で埋め込むと共に、第１接着剤４の層の表面４ＳＳを全面的に第２接着剤５で被覆する。その状態に於いて、加工者は、塗布後の第２接着剤５を硬化させる。ここで、既述の通り、第２接着剤５の硬化後の強度は、第１接着剤４の硬化後の強度よりも強い。この工程により、第１接着剤４の層の露出していた表面４ＳＳは全面的に第２接着剤５の層で被覆されると共に、各宝石１，２間の各隙間は完全に第２接着剤５の層で以って埋め込まれることとなる。その結果、図１及び図２に例示されたネイル用アクセサリー１００が完成される。尚、台座３よりはみ出した第２接着剤５の層のバリは、当該バリを磨く作業によって削り取られ、その後、第２接着剤５の層の表面５Ｓに対するコーティング工程が行わることにより、合成樹脂層より成る第２接着剤５の層は光沢（つや）を有することとなる。
尚、別途の工程で、既述した両面テープ６が、台座３の裏面３ＲＳの形状・寸法・湾曲度に応じて適切にカットされて製作される。
【００２５】
ステップＳ５：  ネイル用アクセサリー１００の使用方法
使用者は、既述の通り、先ず両面テープ６の一方の面６ＳＳを台座３の裏面３ＲＳに貼り付ける。その上で、使用者は、台座３の裏面３ＲＳに貼り付けられた両面テープ６の他方の面６ＲＳの絶縁部を剥がして自爪の表面上に貼り付ける。この作業により、図１及び図２に例示されたネイル用アクセサリー１００が、当該使用者の自爪の表面上に貼付される。尚、ネイル用アクセサリー１００を自爪の表面から取り外すときには、使用者は、ネイル用アクセサリー１００自体を単に上方へ向けて引っ張ることで、両面テープ６の他方の面６ＲＳを自爪の表面から剥がし取れば良いだけである。この様に、使用者は、毎日或いは数日間隔で、簡単にネイル用アクセサリー１００の自爪の表面への取り付け・当該自爪の表面からの取り外しを行うことが出来る。従って、使用者は、ネイル用アクセサリー１００の付け替えを容易に且つ自在に行うことが出来、その際に、ジェル状のネイル液を自爪の表面へ一々塗布する作業を一切不要とすることが出来る。
【００２６】
＜ネイル用アクセサリーの使用時の利点＞
既述した構成を有するネイル用アクセサリー１００の使用により、以下に列挙する利点が得られる。
【００２７】
ア）既述の通り、第２接着剤５の硬化後の強度は、第１接着剤４の硬化後の強度よりも十分に強い。そのため、台座３の湾曲形状が固まって元の形状に戻ることは無く、台座３の裏面３ＲＳの湾曲形状がネイル用アクセサリー１００の使用中及び保管中に於いても保持され続ける。従って、使用者は、ネイル用アクセサリー１００を両面テープ６によって確実に且つ容易に自爪の表面に取り付けることが可能である。
【００２８】
イ）各宝石１，２は、各宝石１，２間の隙間部分が第２接着剤５の層によって完全に埋め込まれており、第１接着剤４の層の表面４ＳＳに強固に結合されている。この第２接着剤５の層による結合の補強により、各宝石１，２が使用中等に於いて剥がれ落ちることは無い。このため、ネイル用アクセサリー１００を爪の表面に付けたままの状態で手の指を水洗いしても、或いは、一日中ネイル用アクセサリー１００を爪の表面に付けていても（原則として入浴時を除く。）、ネイル用アクセサリー１００自体に何らの異変も生じなく、ネイル用アクセサリー１００の性能は維持されて大丈夫である。又、ネイル用アクセサリー１００の各宝石１，２が髪の毛又は突起物に引っかかっても、各宝石１，２が剥がれ落ちることも無い。従って、ネイル用アクセサリー１００の使用に際して、ジェル状のネイル液自体を接着剤として自爪の表面に塗る必要性は全く無く、仮に自爪の表面にマニキュアを塗っていても、その上に更にネイル用アクセサリー１００を付けることも何ら問題無く可能である。尚、再度記載しておくが、本ネイル用アクセサリー１００に於いては、１）台座３の裏面３ＲＳの形状・寸法・曲率に合わせて両面テープ６のシールの形状等が適切にカットされていること、２）各宝石１，２間の隙間部分は全てジェル状ネイルよりも強度の強いレジンの第２接着剤５の層によって完全に埋め込まれていること、及び、３）台座３の裏面３ＲＳは自爪の表面の湾曲形状に合わせて適切に湾曲されている。これらの諸点により、両面テープ６を使用してネイル用アクセサリー１００を自爪の表面に付けていても、水分が当該ネイル用アクセサリー１００の何れの部分からも侵入し難くなる。そのため、ネイル用アクセサリー１００を爪の表面に付けたままの状態で、日中何度も手の指を水洗いし或いは一日中外出していても、ネイル用アクセサリー１００が当該手の指の爪から簡単には外れ落ちないのである。
【００２９】
ウ）第１接着剤４の層の表面は、第２接着剤５の層によって完全に被覆されており、そのため、直接に空気に接することは無く、露出による劣化に対して保護されている。しかも、自爪が伸びてきて自爪の先端部を爪切り器で切った場合であっても、何ら問題無く、そのままの状態でネイル用アクセサリー１００を自爪の表面上に付けて使用し続けることが出来る。そのため、１か月を超える長期間に亘って、ネイル用アクセサリー１００を自爪の表面上に付けて楽しみ続けることが出来る。逆に、ピアスを使用する様な気軽な感覚で、日々、ネイル用アクセサリー１００を自爪の表面上に取り付け、翌日に取り外して、ネイル用アクセサリー１００を付け替える楽しさを味わうことも出来る。
【００３０】
エ）図１の平面図より明らかに理解される通り、平面視に於けるネイル用アクセサリー１００の構成は、ネイルサロンに於いてネイリストが客の爪の表面に付けるネイル用アクセサリーと見劣りがしない程に見栄えが良い。従って、ネイル用アクセサリー１００は、恰もネイリストにより形成されたものと同じ様な実在性（リアル性）を有している。そのため、ネイル用アクセサリー１００を使用する者は、その実在性（リアル性）を実感しつつ使用し続けることが出来る。
【００３１】
（変形例）
（１）  実施の形態１では、主宝石１及び副宝石２の一例として、人工石（人工宝石）が用いられているが、天然石、人造石（人造宝石）、又は、模造宝石が、主宝石１及び／又は副宝石２の一例として用いられても良い。
その意味で、本発明に於ける「宝石」とは、「人工石、天然石、人造石又は模造宝石の何れかより成る石（ストーン）」であると、概念的に定義付けされる。
【００３２】
（２）  実施の形態１では、主宝石１が台座３の表面の略中央部上に配設されていたが、この点に限定されるものではなく、主宝石１の台座３上の配置位置は上記中央部から外れた位置であっても良く、その配置位置は任意である。
【００３３】
（３）  実施の形態１では、主宝石１及びその周辺に位置する複数の副宝石２が台座３の表面上方に配設されていたが、副宝石２は無くて主宝石１のみが台座３の表面上方に配設されていても良い。この場合には、第２接着剤５の層は、第１接着剤４の層の表面及び主宝石１の側面部分に固設されて、単に第１接着剤４の層の表面を全面的に被覆する。斯かる変形例に於いても、実施の形態１で既述した利点が得られる。
【００３４】
（４）  実施の形態１では、複数の副宝石２は、主宝石１とは分離されて主宝石１の周辺部分に配設されていたが、これに代わって、一部の副宝石２又は全部の副宝石２は、主宝石１と部分的に重なる様に乃至は接触する様に、主宝石１に対して配設されていても良い。この場合に於いても、第２接着剤５の層は、主宝石１と各副宝石２との間の隙間部分を全体的に埋め尽くしている。本発明に於いては、この様な副宝石の配置をも含めて、「少なくとも一つの副宝石は、第１接着剤の表面の内で主宝石の周辺に位置する表面部分上に固設されている」という概念が定義付けされている。
【００３５】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００３６】
本発明は、例えば、何時でも付け外し自在に、人の自爪に付けるためのネイル用アクセサリーに適用して好適である。
【符号の説明】
【００３７】
１００  ネイル用アクセサリー
１  主宝石（第１ストーン）
２，２Ａ，２Ｂ，２Ｃ，２Ｄ，２Ｅ，２Ｆ，２Ｇ，２Ｈ  副宝石（第２ストーン）
３  台座
３ＲＳ  台座の裏面
３ＳＳ  台座の表面
４  第１接着剤（第１接着層又は第１接着膜）
５  第２接着剤（第２接着層又は第２接着膜）
６  両面テープ
６ＳＳ  両面テープの一方の面
６ＲＳ  両面テープの他方の面
【図１】
2020092755.tif 000003
【図２】
2020092755.tif 000004
【図３】
2020092755.tif 000005